(57)【要約】  本発明は、二酸化炭素リッチな液体を製造し、分離ユニット（１０）であって溶剤での物理洗浄のための塔と当該分離ユニットの流体を冷却する手段とを有する分離ユニットと、前記分離ユニットから得られる二酸化炭素リッチガス（４）を圧縮および液化し、前記圧縮作業の上流および／または下流で前記ガスを冷却する手段とを有するユニット（１２）と、前記分離ユニットの前記流体を冷却する前記手段および前記圧縮作業の上流および／または下流で前記ガスを冷却する前記手段にフリゴリーを与える二酸化炭素を冷媒として用いる一つの冷凍サイクルと、前記液体の一部を前記液化ユニットから前記冷凍サイクルに送る手段と、を備える装置に関する。【選択図】    図２
2013528562.tif 000002
【特許請求の範囲】
【請求項１】
最終生成物としての二酸化炭素リッチな液体を製造する方法であって、
ｉ）二酸化炭素を有する供給原料ガスを、０℃以下の温度で溶剤での物理洗浄によって分離し、
ｉｉ）ステップｉ）の前記物理洗浄に必要な前記溶剤を冷却し、
ｉｉｉ）二酸化炭素リッチガスをステップｉ）の分離によって製造し、当該ガスを圧縮するとともに液化し、
ｉｖ）前記二酸化炭素リッチガスを、ステップｉｉｉ）の前記圧縮作業の上流および／または下流で冷却し、
ｖ）冷媒として二酸化炭素を用いる一つの冷凍サイクルが、ステップｉｖ）の前記冷却作業およびステップｉ）で必要な冷却作業のために冷却を与え、冷媒として用いられる前記二酸化炭素の少なくとも一部が、ステップｉｉｉ）の前記液化作業で得られる、方法。
【請求項２】
同じ前記冷凍サイクルが、前記洗浄作業の上流で前記溶剤を冷却するのに用いられる、請求項１に記載の方法。
【請求項３】
前記溶剤がメタノールである先行するどちらかの請求項に記載の方法。
【請求項４】
前記二酸化炭素リッチガスは、ステップｉｉｉ）の前記圧縮作業の後に液化される、先行する請求項のいずれか一つに記載の方法。
【請求項５】
前記二酸化炭素リッチガスは、前記冷凍サイクルによって、ステップｉｉｉ）の前記圧縮作業の上流で冷却される、先行する請求項のいずれか一つに記載の方法。
【請求項６】
前記二酸化炭素リッチガスは、前記冷凍サイクルによって、ステップｉｉｉ）の前記圧縮作業の下流で冷却される、先行する請求項のいずれか一つに記載の方法。
【請求項７】
最終生成物としての二酸化炭素リッチの液体を製造する装置であって、
ｉ）分離ユニット（１０）であって、溶剤での物理洗浄のための塔と、当該分離ユニットの流体を冷却する手段と、を有する分離ユニットと、
ｉｉ）前記分離ユニットから得られる二酸化炭素リッチガス（４）を圧縮および液化するユニット（１２，Ｃ，Ｌ）であって、前記圧縮作業の上流および／または下流で前記二酸化炭素リッチガスを冷却する手段（Ｅ１，Ｅ２）を有する前記圧縮および液化ユニット、と、
ｉｉｉ）前記分離ユニットの前記流体を冷却する前記手段、および、前記圧縮作業の上流および／または下流で前記二酸化炭素リッチガスを冷却する前記手段、に冷却を与える、冷媒として二酸化炭素を用いる一つの冷凍サイクル（１０３，１０３´）と、
ｉｖ）前記二酸化炭素リッチな液体の一部を前記分離および液化ユニットから前記冷凍サイクルに送る手段と、を具備する装置。
【請求項８】
前記冷凍サイクルは、前記二酸化炭素リッチガスの前記圧縮の上流で冷却を与える、請求項７に記載の装置。
【請求項９】
前記冷凍サイクルは、前記二酸化炭素リッチガスの前記圧縮の下流で冷却を与える、請求項７または８に記載の装置。
【請求項１０】
前記冷凍サイクルによって前記洗浄作業の上流で前記溶剤を冷却する手段を備える、請求項７ないし９のいずれか一つに記載の装置。
【発明の詳細な説明】
【発明の概要】
【０００１】
本発明は、二酸化炭素リッチな液体を製造する方法および装置に関する。それは特に、液状か、例えば隔離、ＥＯＲ（強化石油採取）、もしくは二酸化炭素排出を低減するためのその他の用途のために圧縮された状態かのいずれかの二酸化炭素の発生が避けられない、レクチゾール（Ｒｅｃｔｉｓｏｌ）（登録商標）法またはセレクソール（Ｓｅｌｅｘｏｌ）（登録商標）法のような、０℃以下の温度での作業が求められる、物理吸収の原理に基づくガスの分離および浄化方法に利用される。
【０００２】
レクチゾール（登録商標）法またはセレクソール（登録商法）法のような、０℃以下の温度での作業が求められる物理吸収の原理に基づくガス分離および浄化ユニットにおいて、効果的に運転するようなプロセスには大きな冷凍負荷が必要である。一般に冷凍能力は、例えば、アンモニアまたはプロピレンのような、プロセスの外の流体に影響を及ぼす冷凍ユニットによって与えられる。
【０００３】
予燃焼プロセスによる二酸化炭素排出の低減に関して、分離された二酸化炭素は、陸上、河川上、もしくは海上輸送のために液状か、またはパイプライン輸送のために圧縮された状態で製造される必要がある。これらのプロセスはまた、液状または圧縮された状態の二酸化炭素を生じさせるために必要な熱平衡を得るために、液化する流体（二酸化炭素）を扱う圧縮機を用いる。
【０００４】
図１は、従来技術の装置を示す。レクチゾール（登録商標）型のガス分離および浄化ユニット１０は、二酸化炭素を含む処理されるガス１を分離し、浄化ガス２と二酸化炭素リッチガスとを製造する。分離ユニット１０は、冷媒３，３´を用いる外部冷却ユニット１１によって冷却される。二酸化炭素は、液体二酸化炭素５を製造する液化装置１２において液化される。
【図面の簡単な説明】
【０００５】
【図１】
【図２】
【０００６】
本発明の目的によれば、最終生成物としての二酸化炭素リッチな液体を製造するために一つの方法が提供され、この方法において、
ｉ）  二酸化炭素を含む供給原料ガス（ｆｅｅｄ  ｇａｓ）が、０℃以下の温度で溶剤での物理洗浄（ｐｈｙｓｉｃａｌ  ｗａｓｈｉｎｇ）によって分離され、
ｉｉ）ステップｉ）の前記物理洗浄に必要な前記溶剤が冷却され、
ｉｉｉ）二酸化炭素リッチガスがステップｉ）の分離によって製造され、当該ガスが圧縮および液化され、
ｉｖ）前記二酸化炭素リッチガスが、ステップｉｉｉ）の前記圧縮作業の上流および／または下流で冷却され、
ｖ）冷媒として二酸化炭素を用いる一つの冷凍サイクルが、ステップｉｖ）の前記冷却作業のためおよびステップｉ）に必要な冷却作業のための前記冷却に、ステップｉｉｉ）の前記液化作業で生じる冷媒として用いられる前記二酸化炭素の少なくとも一部を与える。
【０００７】
他の選択的な特徴によれば、
−  同じ前記冷凍サイクルが、前記二酸化炭素リッチガスを前記圧縮作業の上流および／または下流で冷却する、
−  同じ前記冷凍サイクルが前記溶剤を前記洗浄作業の上流で冷却する、
−  前記溶剤はメタノールである、
−  前記二酸化炭素リッチガスは、ステップｉｉｉ）の前記圧縮作業の後に液化される。
【０００８】
本発明のさらなる目的によれば、最終生成物としての二酸化炭素リッチな液体を製造する装置が提供され、当該装置は、
ｉ）分離ユニットであって、溶剤での物理洗浄のための塔（ｃｏｌｕｍｎ）と、当該分離ユニットの流体を冷却する手段と、を有する分離ユニットと、
ｉｉ）最終生成物としての液体二酸化炭素を製造するために前記分離ユニットから得られる二酸化炭素リッチガスを圧縮および液化するユニットであって、前記ガスを前記圧縮作業の上流および／または下流で冷却する手段を有する圧縮および液化ユニットと、
ｉｉｉ）前記分離ユニットの前記流体を冷却する前記手段、および前記圧縮作業の上流および／または下流で前記二酸化炭素リッチガスを冷却する前記手段、に冷却を与える、冷媒としての二酸化炭素を用いる一つの冷凍サイクルと、
ｉｖ）前記液体二酸化炭素の一部を前記分離および液化ユニットから前記冷凍サイクルに送る手段と、を備える。
【０００９】
選択的に、前記装置は、前記冷凍サイクルによって前記洗浄作業の上流で前記溶剤を冷却する手段を有する。
【００１０】
前記ガス分離および浄化ユニット、例えばレクチゾール（登録商標）型、に必要な冷却のための、特に、前記洗浄の溶剤を冷却するため、および前記ガス分離および浄化ユニットから生ずる二酸化炭素リッチガス流を冷却するための冷却を与える一つの冷凍サイクルを用いることに、発明がある。
【００１１】
このような方法は、機能の結合によって、投資を減らすことに役立つ。本発明は、図２を参照して非常に詳細に説明される。
【００１２】
レクチゾール（登録商標）型の、０℃以下の温度で溶剤での物理洗浄によってガスを分離および浄化するユニット１０は、二酸化炭素を含んだ処理されるガス１を分離することで、浄化ガス２と二酸化炭素リッチガス４とを製造する。前記分離ユニット１０は、二酸化炭素リッチガス４を扱うユニット１２から出た冷媒１０３，１０３´を用いるサイクルによって冷却される。二酸化炭素処理ユニット１２は、液状の二酸化炭素５を生じさせる液化ユニットＬが続く圧縮ユニットＣである。圧縮ユニットＣによって圧縮された前記二酸化炭素リッチガスは、ユニットＬによって液化されることで、最終生成物５を作り出す。液状化されたものの一部１０３は、前記圧縮された流れを、熱交換器Ｅ１，Ｅ２によって圧縮ユニットＣの下流および／または上流で冷却できる。
【００１３】
特に、ユニット１０に送られた冷媒１０３は、前記方法の洗浄ステップで使われる溶剤の流れを冷却するのに使われ得る。
【００１４】
同じ流体は、ユニット１２における前記圧縮作業の上流および／または下流で、前記二酸化炭素を冷却するのに使われ得る。
【００１５】
前記流体は、二酸化炭素であり、ユニット１２で処理されるガス４から生じる。
【図１】
2013528562.tif 000003
【図２】
2013528562.tif 000004
【国際調査報告】
2013528562.tif 000005
2013528562.tif 000006
2013528562.tif 000007
2013528562.tif 000008
2013528562.tif 000009
2013528562.tif 000010